(57)【要約】【課題】複数部数コピーに際し、オペレータの手間を軽減することができる画像形成装置を提供する。【解決手段】原稿排出トレイ３を有する自動原稿搬送手段１を備える画像形成装置において、原稿排出トレイ３に排出された読み取り済みの原稿束をステープルするステープル手段１４を備える。【選択図】図１
2007326690.tif 000002
【特許請求の範囲】
【請求項１】
原稿排出トレイを有する自動原稿搬送手段を備える画像形成装置において、原稿排出トレイに排出された読み取り済みの原稿束をステープルするステープル手段を備えることを特徴とする画像形成装置。
【請求項２】
請求項１記載の画像形成装置において、コピー用紙束に対するステープル処理を指定する操作表示手段と、前記ステープル処理されるコピー用紙束に対応する原稿束をステープル処理するように前記ステープル手段を制御する制御手段と、を備えることを特徴とする画像形成装置。
【請求項３】
請求項１記載の画像形成装置において、前記原稿束に対するステープル処理の実行を指定する操作表示手段と、ステープル処理を指定された原稿束をステープルするようステープル手段を制御する制御手段と、を備えることを特徴とする画像形成装置。
【請求項４】
請求項２または３記載の画像形成装置において、コピー用紙のジャムを検知するジャム検知手段を備え、制御手段は、ジャムが発生した場合に原稿束のステープルを停止するよう、ステープル手段を制御することを特徴とする画像形成装置。
【請求項５】
請求項４記載の画像形成装置において、原稿排出トレイの原稿の有無を検知する原稿検知手段と、原稿のステープルが必要なコピーを開始するときに原稿検知手段によって原稿有りと検知した場合は、原稿を原稿排出トレイから除去させるための警告表示を行う操作表示手段とを備えることを特徴とする画像形成装置。
【発明の詳細な説明】
【技術分野】
【０００１】
本発明は、自動原稿搬送装置を備えた画像形成装置に関する。
【背景技術】
【０００２】
会議への出席者のために複写機等を使用して一部の原稿から複数部のコピーをとる場合には、ステープル処理を指定したコピーが行われることが多い。しかしステープルはコピーされた用紙に対してのみ行われ、原稿はバラバラのままである。
【発明の開示】
【発明が解決しようとする課題】
【０００３】
複数枚の原稿を用いて、会議の出席者に配布する書類を作成するために複写機等を用いて複数部のコピーをとる場合、ステープルされたコピー用紙を会議出席者に配布する一方で、ステープルされない原稿はコピー作成者（オペレータ）が自分で使うことが多い。そのため、コピー後の原稿を自分でステープルし直さなければならず、手間がかかるという問題がある。
本発明は、複数部数コピーに際し、オペレータの手間を軽減することができる画像形成装置を提供することを目的とする。
【課題を解決するための手段】
【０００４】
上記目的を達成するために、請求項１記載の発明は、原稿排出トレイを有する自動原稿搬送手段を備える画像形成装置において、原稿排出トレイに排出された読み取り済みの原稿束をステープルするステープル手段を備える画像形成装置を最も主要な特徴とする。
請求項２記載の発明は、請求項１記載の画像形成装置において、コピー用紙束に対するステープルを指定する操作表示手段と、ステープルを指定されたコピーの対象となる原稿束をステープルするよう、ステープル手段を制御する制御手段とを備える画像形成装置を主要な特徴とする。
請求項３記載の発明は、請求項１記載の画像形成装置において、原稿束に対するステープルを指定する操作表示手段と、ステープルを指定された原稿束をステープルするよう、ステープル手段を制御する制御手段とを備える画像形成装置を主要な特徴とする。
請求項４記載の発明は、請求項２または３記載の画像形成装置において、コピー用紙のジャムを検知するジャム検知手段を備え、制御手段は、ジャムが発生した場合に原稿束のステープルを停止するよう、ステープル手段を制御する画像形成装置を主要な特徴とする。
請求項５記載の発明は、請求項４記載の画像形成装置において、原稿排出トレイの原稿の有無を検知する原稿検知手段と、原稿のステープルが必要なコピーを開始するときに原稿検知手段によって原稿有りと検知した場合は、原稿を原稿排出トレイから除去させるための警告表示を行う操作表示手段とを備える画像形成装置を主要な特徴とする。
【発明の効果】
【０００５】
本発明は、原稿排出トレイを有する自動原稿搬送手段を備えた画像形成装置において、原稿排出トレイに排出された読み取り済みの原稿束をステープルするステープル手段を備えるので、数部数コピーに際し、オペレータの手間を軽減することができる。
【発明を実施するための最良の形態】
【０００６】
以下、本発明の実施の形態を図面に従って説明する。
図１は本発明の実施の形態に係る画像形成装置に装備される自動原稿搬送装置の要部を示す斜視図である。
自動原稿搬送装置１の排出部は、原稿排出ローラ２と原稿排出トレイ３とから構成されている。そして、原稿排出ローラ２の下流側近傍にあって、原稿排出トレイ３の上方には、原稿排出トレイ３上に載置される読み取り済み原稿束をステープルするステープル手段１４が設けられる。このステープル手段１４は、図示しない駆動手段からの駆動力によって作動する移動手段によって矢印方向へ進退移動することができる。
【０００７】
図２は本発明の実施の形態に係る画像形成装置の機能ブロック図である。
本画像形成装置は、ＣＰＵ（制御手段）１１を中心として、原稿排出トレイ３上に載置される読み取り済み原稿束を検知する原稿検知手段１２（図１では省略）、機内のコピー用紙のジャムを検知するジャム検知手段１３、ステープル手段１４、及び操作表示手段１５を備える。
例えば、会議で使う資料が２種類あり、それぞれが１０ページあったとする。会議に出席する人数分だけ２種類の資料をコピーする場合を考える。
【０００８】
図３は図２の画像形成装置における１種類目の原稿に対する処理動作を示すフローチャートである。
まず、１種類目の原稿を自動原稿搬送装置１の図示しない原稿セット台にセットする。画像形成装置本体側の操作表示手段１５を操作することによりコピー部数、その他の処理方法を選択する際に、コピーされた用紙のステープル処理を選択する。このとき、原稿もステープルすると判断される（Ｓ１でＹ）。操作表示手段１５のスタートボタンを押下しコピーを開始すると、読み取りの完了した原稿は次々と原稿排出ローラ２を通り、原稿排出トレイ３上に排出、載置される。
指定した部数のコピー及びステープル動作が全て完了した直後に、原稿排出トレイ３に載置された読み取り済み原稿束を、ステープル手段１４によりステープルし（Ｓ２）１種類目のコピーが終了する（Ｓ３）。
ステープル手段１４は、原稿排出ローラ２と並行に移動でき、原稿束に対してコピー済み用紙がステープルされた位置と同じ位置にステープルを行う。
また、コピー用紙のジャムを検知するジャム検知手段１３がジャムを検知した場合に、制御手段は、原稿束のステープルを停止するよう、ステープル手段１４を制御する。
【０００９】
図４は図２の画像形成装置における２種類目の原稿に対する処理動作を示すフローチャートである。
次に２種類目の原稿を自動原稿搬送装置１にセットし同様の設定のまま（Ｓ１でＹ）コピースタートボタンを押下する。新しいコピーが開始するが、ステープルが指定されている場合には、原稿検知手段１２によって前回のコピーの原稿が原稿排出トレイ３にあることを検知し（Ｓ２でＹ）、その原稿を取り除くようにオペレータに対して、操作表示手段１５より警告表示を行う（Ｓ３）。
原稿検知手段１２によって原稿が取り除かれたことを検知すると、コピーが開始される（Ｓ５）。以降、読み取り済み原稿束がステープルされコピーが終了するまでの流れは、図３に示す１種類目のコピーと同様である。
この実施の形態は、コピーの設定においてステープルが選択されたときに原稿に対しても自動的にステープルを実施する場合について説明したが、コピーの設定時に操作表示手段１５から原稿のステープル動作の有無を個別に選択するようにしてもよい。この場合は、原稿のステープルの指定忘れが懸念されるため、コピー終了後でも単独で読み取り済み原稿束をステープルするための指示を、操作表示手段１５よりできるようにすると使い勝手がよくなる。
【図面の簡単な説明】
【００１０】
【図１】本発明の実施の形態に係る画像形成装置の自動原稿搬送装置の要部を示す斜視図である。
【図２】本発明の実施の形態に係る画像形成装置の機能ブロック図である。
【図３】図２の画像形成装置における１種類目の原稿に対する処理動作を示すフローチャートである。
【図４】図２の画像形成装置における２種類目の原稿に対する処理動作を示すフローチャートである。
【符号の説明】
【００１１】
１  自動原稿搬送手段
３  原稿排出トレイ
１１  ＣＰＵ（制御手段）
１２  原稿検知手段
１３  ジャム検知手段
１４  ステープル手段
１５  操作表示手段
【図１】
2007326690.tif 000003
【図２】
2007326690.tif 000004
【図３】
2007326690.tif 000005
【図４】
2007326690.tif 000006